(57)【特許請求の範囲】
【請求項１】
車両ボデーに搭載された車両用電池の被覆構造であって、
前記車両用電池を被覆するカーペットを備え、
前記カーペットは、前記車両用電池から発生する電磁波を遮蔽するシールド層を有し、
前記カーペットの裏面側には、前記車両用電池を被覆する樹脂カバーが積層されており、
前記カーペットは、表皮層と、該表皮層の裏面側に積層される熱可塑性樹脂からなるバッキング層と、該バッキング層の裏面側に積層される前記シールド層と、を有し、該シールド層は、複数の孔を有するシート材からなり、前記バッキング層の一部が該シールド層の該複数の孔を介して前記樹脂カバーに接着固定されていることを特徴とする車両用電池の被覆構造。
【請求項２】
前記カーペット上にはシートクッションが配設され、該シートクッションは前記樹脂カバーに固定されている請求項１記載の車両用電池の被覆構造。
【請求項３】
車両ボデーに搭載された車両用電池を被覆するカーペットであって、
前記車両用電池から発生する電磁波を遮蔽するシールド層を有し、裏面側には前記車両用電池を被覆する樹脂カバーが積層されており、
表皮層と、該表皮層の裏面側に積層される熱可塑性樹脂からなるバッキング層と、該バッキング層の裏面側に積層される前記シールド層と、を有し、該シールド層は、複数の孔を有するシート材からなり、前記バッキング層の一部が該シールド層の該複数の孔を介して前記樹脂カバーに接着固定されていることを特徴とするカーペット。
【発明の詳細な説明】
【技術分野】
【０００１】
本発明は、車両用電池の被覆構造及びカーペットに関し、さらに詳しくは、車両用電池を電磁波シールドすることができる軽量且つ簡素な構造の車両用電池の被覆構造及びカーペットに関する。
【背景技術】
【０００２】
一般に、電気自動車、ハイブリッド車等では、複数の電池セルを積層してなる電池パック等の車両用電池が用いられている。この車両用電池の被覆構造としては、例えば、図１４に示すように、車両用電池１０３を金属製のロアケース１１１及びアッパーケース１１２で被覆して電池組立品１１３をなし、金属製の各ケース１１１，１１２で車両用電池１０３を電磁波シールドする被覆構造１０１が一般に知られている。ここで、上記電池組立品１１３を車両の座席下に搭載する場合、車両ボデー１０２に電池組立品１１３及び金属製のシートフレーム１１４をボルト締めし、車両ボデー１０２にカーペット１０５をクリップ止めし、シートフレーム１１４にシートクッション１１０を装着することが考えられる。
【０００３】
また、他の従来の車両用電池の被覆構造として、車両用電池を樹脂製のロアケース及びアッパーケースで被覆して電池組立品をなし、この電池組立品を金属製のカバーで被覆して電磁波シールドするものが知られている（例えば、特許文献１参照）。
【０００４】
しかし、上述の従来の車両用電池の被覆構造では、電磁波シールドのために金属製のアッパーケースやカバーを備える必要があるので、重量が非常に重くなる。また、部品点数が多く組付け作業に時間がかかる。
【先行技術文献】
【特許文献】
【０００５】
【特許文献１】特開２００１−２９４０４８号公報
【発明の概要】
【発明が解決しようとする課題】
【０００６】
本発明は、上記現状に鑑みてなされたものであり、車両用電池を電磁波シールドすることができる軽量且つ簡素な構造の車両用電池の被覆構造及びカーペットを提供することを目的とする。
【課題を解決するための手段】
【０００７】
上記問題を解決するために、請求項１に記載の発明は、車両ボデーに搭載された車両用電池の被覆構造であって、前記車両用電池を被覆するカーペットを備え、前記カーペットは、前記車両用電池から発生する電磁波を遮蔽するシールド層を有し、前記カーペットの裏面側には、前記車両用電池を被覆する樹脂カバーが積層されており、前記カーペットは、表皮層と、該表皮層の裏面側に積層される熱可塑性樹脂からなるバッキング層と、該バッキング層の裏面側に積層される前記シールド層と、を有し、該シールド層は、複数の孔を有するシート材からなり、前記バッキング層の一部が該シールド層の該複数の孔を介して前記樹脂カバーに接着固定されていることを要旨とする。
請求項２に記載の発明は、請求項１記載において、前記カーペット上にはシートクッションが配設され、該シートクッションは前記樹脂カバーに固定されていることを要旨とする。
上記問題を解決するために、請求項３に記載の発明は、車両ボデーに搭載された車両用電池を被覆するカーペットであって、前記車両用電池から発生する電磁波を遮蔽するシールド層を有し、裏面側には前記車両用電池を被覆する樹脂カバーが積層されており、表皮層と、該表皮層の裏面側に積層される熱可塑性樹脂からなるバッキング層と、該バッキング層の裏面側に積層される前記シールド層と、を有し、該シールド層は、複数の孔を有するシート材からなり、前記バッキング層の一部が該シールド層の該複数の孔を介して前記樹脂カバーに接着固定されていることを要旨とする。
【発明の効果】
【０００８】
本発明の車両用電池の被覆構造によると、車両用電池を被覆するカーペットを備え、カーペットは、車両用電池から発生する電磁波を遮蔽するシールド層を有し、カーペットの裏面側には、車両用電池を被覆する樹脂カバーが積層されているので、カーペットのシールド層により、樹脂カバーで被覆された車両用電池から発生する電磁波が遮蔽される。これにより、従来のようにカーペットとは別個に金属製のアッパーケースやカバーを備えるものに比べて、軽量化を図り得るとともに、部品点数を低減して組付け作業性を向上させることができる。
【０００９】
また、前記カーペットが、表皮層と、熱可塑性樹脂からなるバッキング層と、前記シールド層と、を有し、該シールド層は、複数の孔を有するシート材からなり、前記バッキング層の一部が該シールド層の該複数の孔を介して前記樹脂カバーに接着固定されているので、カーペットに対して樹脂カバーを容易に一体化することができる。
【００１０】
さらに、前記カーペット上にシートクッションが配設され、該シートクッションは前記樹脂カバーに固定されている場合は、車両用電池を被覆する樹脂カバーにシートクッションを支持する機能を持たせることができる。よって、樹脂カバーとは別個にシートフレームを必ずしも備える必要がなく、更なる軽量化及び部品点数の低減を図ることができる。
【００１１】
本発明のカーペットによると、車両用電池から発生する電磁波を遮蔽するシールド層を有し、裏面側には車両用電池を被覆する樹脂カバーが積層されているので、カーペットのシールド層により、樹脂カバーで被覆された車両用電池から発生する電磁波が遮蔽される。これにより、従来のようにカーペットとは別個に金属製のアッパーケースやカバーを備えるものに比べて、軽量化を図り得るとともに、部品点数を低減して組付け作業性を向上させることができる。
【００１２】
表皮層と、熱可塑性樹脂からなるバッキング層と、前記シールド層と、を有し、該シールド層は、複数の孔を有するシート材からなり、前記バッキング層の一部が該シールド層の該複数の孔を介して前記樹脂カバーに接着固定されているので、カーペットに対して樹脂カバーを容易に一体化することができる。
【図面の簡単な説明】
【００１３】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る車両用電池の被覆構造の斜視図である。
【図２】上記車両用電池の被覆構造の分解斜視図である。
【図３】上記車両用電池の被覆構造の縦断面図である。
【図４】図３のＩＶ矢視部分の拡大図である。
【図５】上記車両用電池の被覆構造で使用されるカーペットの製造方法を説明するための説明図である。
【図６】実施例２に係る車両用電池の被覆構造の斜視図である。
【図７】上記車両用電池の被覆構造の分解斜視図である。
【図８】上記車両用電池の被覆構造の縦断面図である。
【図９】実施例３に係る車両用電池の被覆構造の斜視図である。
【図１０】上記車両用電池の被覆構造の分解斜視図である。
【図１１】上記車両用電池の被覆構造の縦断面図である。
【図１２】その他の形態のカーペットの縦断面図である。
【図１３】更にその他の形態のカーペットの縦断面図である。
【図１４】従来の車両用電池の被覆構造の縦断面図である。
【発明を実施するための形態】
【００１４】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１５】
１．車両用電池の被覆構造
本実施形態１．に係る車両用電池の被覆構造は、車両ボデー（２）に搭載された車両用電池の被覆構造（１、２１、２４）であって、車両用電池（３）を被覆するカーペット（５）を備え、カーペットは、車両用電池から発生する電磁波を遮蔽するシールド層（８）を有し、カーペットの裏面側には、車両用電池を被覆する樹脂カバー（９、２２、２５）が積層されていることを特徴とする（例えば、図２、図７及び図１０等参照）。
【００１６】
上記カーペットは、通常、車両ボデーに敷設される。また、上記樹脂カバーは、例えば、車両用電池の少なくとも上面を被覆することができる。なお、上記車両用電池としては、例えば、蓄電池、燃料電池等を挙げることができる。
【００１７】
本実施形態１．に係る車両用電池の被覆構造としては、例えば、上記カーペットは、表皮層（６）と、表皮層の裏面側に積層される熱可塑性樹脂からなるバッキング層（７）と、バッキング層の裏面側に積層される上記シールド層（８）と、を有し、シールド層は、複数の孔を有するシート材（８ａ）からなり、バッキング層の一部がシールド層の複数の孔を介して樹脂カバーに接着固定されている形態（例えば、図４及び図１２等参照）を挙げることができる。このシート材（シールド層）としては、例えば、金属メッシュ、発泡金属、導電性繊維を用いてなる布（例えば、不織布、織物、編物等）などを挙げることができる。これらのうち、金属メッシュ、発泡金属等の金属部材である場合は、シールド性（電磁波遮蔽性）及びカーペットの保形性を高めることができる。一方、上記布である場合は、加工性を高めることができる。
【００１８】
上述の形態では、例えば、上記カーペットは、成形型（１２ａ、１２ｂ）内に、表皮層になる表皮材（６ａ）と、バッキング層になるバッキング材（７ａ）と、シールド層になるシート材（８ａ）と、上記樹脂カバー（９）と、をこの順にセットし、これらセット物を、少なくともバッキング材を加熱した状態でプレス成形（圧縮成形）して得られることができる（例えば、図５等参照）。これにより、バッキング材の一部（溶融部）がシート材の複数の孔からしみ出し易くなり、カーペットに対して樹脂カバーを更に容易に一体化できる。
【００１９】
本実施形態１．に係る車両用電池の被覆構造としては、例えば、上記カーペット上にはシートクッション（１０）が配設され、シートクッションは樹脂カバーに固定されている形態（例えば、図３、図８及び図１１等参照）を挙げることができる。この場合、例えば、上記樹脂カバーは、車両用電池の下方に配設され車両ボデーに固定されたロアケース（１１）に固定されていることができる。これにより、樹脂カバーでシートクッションを更に安定的に支持できる。また、樹脂カバー及びロアケースにより車両用電池が被覆されるので、シールド性を更に高めることができる。
【００２０】
本実施形態１．に係る車両用電池の被覆構造としては、例えば、上記車両ボデー（２）には、車両用電池を被覆する立上げ壁（２ａ）が形成されている形態（例えば、図３及び図１１等参照）を挙げることができる。これにより、更なる軽量化を図ることができる。
【００２１】
本実施形態１．に係る車両用電池の被覆構造としては、例えば、上記シールド層は、カーペットの裏面側に露出するように設けられ（例えば、図４等参照）、このシールド層の一部（８ｂ、８ｃ）が車両ボデーに接触している形態（例えば、図３、図８及び図１１等参照）を挙げることができる。これにより、シールド層を容易且つ確実に接地できる。
【００２２】
２．カーペット
本実施形態２．に係るカーペットは、車両ボデー（２）に搭載された車両用電池（３）を被覆するカーペット（５）であって、車両用電池から発生する電磁波を遮蔽するシールド層（８）を有し、裏面側には車両用電池を被覆する樹脂カバー（９、２２、２５）が積層されていることを特徴とする（例えば、図２、図７及び図１０等参照）。このカーペットは、例えば、実施形態１．で説明したカーペットの構成を適用することができる。
【実施例】
【００２３】
以下、図面を用いて実施例１〜３により本発明を具体的に説明する。
【００２４】
＜実施例１＞
（１）車両用電池の被覆構造の構成
本実施例１に係る車両用電池の被覆構造１は、図１〜図３に示すように、金属製の車両ボデー２に搭載された車両用電池３の被覆構造であって、車両用電池３を被覆するカーペット５を備えている。このカーペット５は、車両用電池３から発生する電磁波を遮蔽するシールド層８を有している。また、カーペット５の裏面側には、車両用電池３を被覆する縦断面略Ｌ字状の樹脂カバー９が積層されている。
【００２５】
上記カーペット５上には、シートクッション１０が配設されている。このシートクッション１０の下面から突出する係合フック１０ａは、カーペット５に形成された貫通孔５ａを介して樹脂カバー９に設けられた凹部９ａ内に係合されている（図３参照）。よって、シートクッション１０は樹脂カバー９に固定されている。また、車両ボデー２には、車両用電池３の下方に位置するように金属製で縦断面略Ｕ字状のロアケース１１が固定されている。このロアケース１１には、上記樹脂カバー９が締結等により固定されている。
【００２６】
上記カーペット５は、図４に示すように、車室内装面を形成する表皮層６と、この表皮層６の裏面側に積層される熱可塑性樹脂製のバッキング層７と、このバッキング層７の裏面側に積層される上記シールド層８と、を有している。この表皮層６は、１層又は２層以上の基布にパイル糸をタフティングしてなるタフト布である。また、バッキング層７は、カーペット５を形状保持する機能と、車室外側からの音を遮蔽する機能と、を有している。また、シールド層８は、複数の孔１４を有するシート材８ａからなっている。このシート材８ａは、金網、エキスパンドメタル、パンチングメタル等の金属メッシュである。さらに、シールド層８の表面は、バッキング層７の裏面側から露出しており、このシールド層８の一部８ｂ、８ｃが車両ボデー２に接触している（図３参照）。
【００２７】
（２）車両用電池の被覆構造の組立方法
次に、上記構成の車両用電池の被覆構造１の組立方法について説明する。先ず、上記カーペット５は、図５に示すように、成形型１２ａ，１２ｂ内に、表皮層６になる表皮材６ａと、バッキング層７になる加熱処理されたバッキング材７ａと、シールド層８になるシート材８ａと、樹脂カバー９と、をこの順にセットし、これらセット物をプレス成形して得られる。このプレス成形により、バッキング材７ａの一部（溶融部）は、シート材８ａの複数の孔１４からしみ出して樹脂カバー９の表面に到り、バッキング層７と樹脂カバー９とが接着固定される。
【００２８】
そして、車両ボデー２に対してロアケース１１、車両用電池３及びその制御部３ａ（図２参照）を組み付ける。次に、それらの上方からカーペット５を被せて、樹脂カバー９及びシールド層８で車両用電池３及び制御部３ａを被覆する。次いで、カーペット５に接着された樹脂カバー９をロアケース１１及び車両ボデー２に組み付ける。その後、シートクッション１０の係合フック１０ａをカーペット５の貫通孔５ａを介して樹脂カバー９の凹部９ａ内に係合固定させ、カーペット５上にシートクッション１０を配設する。その結果、上記車両用電池の被覆構造１が得られる。
【００２９】
（３）車両用電池の被覆構造の作用
次に、上記構成の車両用電池の被覆構造１の作用について説明する。図３に示すように、樹脂カバー９及びシールド層８により、車両用電池３の上面及び車両前方側の前面が被覆され、上記ロアケース１１により、車両用電池３の下面及び車両幅方向の両側面が被覆され、車両ボデー２に形成された立ち上げ壁２ａにより、車両用電池３の車両後方側の後面が被覆されている。よって、カーペット５のシールド層８、ロアケース１１及び車両ボデー２の立ち上げ壁２ａにより車両用電池３は電磁波シールドされる。
【００３０】
（４）実施例の効果
以上より、本実施例の車両用電池の被覆構造１によると、車両用電池３を被覆するカーペット５を備え、カーペット５は、車両用電池３から発生する電磁波を遮蔽するシールド層８を有し、カーペット５の裏面側には、車両用電池３を被覆する樹脂カバー９が積層されているので、カーペット５のシールド層８により、樹脂カバー９で被覆された車両用電池３から発生する電磁波が遮蔽される。これにより、従来のようにカーペットとは別個に金属製のアッパーケースや樹脂カバーを備えるものに比べて、軽量化を図り得るとともに、部品点数を低減して組付け作業性を向上させることができる。例えば、従来の車両用電池の被覆構造１０１（図１４参照）では、車両ボデー１０２及びロアケース１１１に対するアッパーケース１１２のボルト締め５点及びナット締め６点と、車両ボデー１０２に対するシートフレーム１１４のボルト締め６点と、車両ボデー１０２に対するカーペット１０５のクリップ固定２点との合計１９点の作業が必要である。これに対して、本実施例の車両用電池の被覆構造１では、車両ボデー２及びロアケース１１に対する樹脂カバー９のボルト締め６点のみの作業でカーペット５も固定できるので、作業時間を大幅に短縮できる。
【００３１】
また、本実施例では、カーペット５を、表皮層６と、熱可塑性樹脂からなるバッキング層７と、シールド層８と、を有して構成し、シールド層８を、複数の孔１４を有するシート材８ａからなしたので、カーペット５をプレス成形する際に、シート材８ａの複数の孔１４を介してバッキング層７の一部が樹脂カバー９に接着される。よって、カーペット５と樹脂カバー９とを接着するための接着剤や接着工程を必要とせず、カーペット５に対して樹脂カバー９を容易に一体化することができる。
【００３２】
また、本実施例では、シールド層８をなすシート材８ａとして金属メッシュを採用したので、シールド性及びカーペット５の保形性を高めることができる。
【００３３】
また、本実施例では、成形型１２ａ，１２ｂ内に、表皮層６になる表皮材６ａと、バッキング層７になる加熱処理されたバッキング材７ａと、シールド層８になるシート材８ａと、樹脂カバー９と、をこの順にセットし、これらセット物をプレス成形してカーペット５を得るようにしたので、バッキング材７ａの一部（溶融部）がシート材８ａの複数の孔１４からしみ出し易くなり、カーペット５に対して樹脂カバー９を更に容易に一体化できる。
【００３４】
また、本実施例では、カーペット５上にシートクッション１０を配設し、このシートクッション１０を樹脂カバー９に固定したので、車両用電池３を被覆する樹脂カバー９にシートクッション１０を支持する機能を持たせることができる。よって、樹脂カバー９とは別個にシートフレームを備える必要がなく、更なる軽量化及び部品点数の低減を図ることができる。
【００３５】
また、本実施例では、樹脂カバー９を、車両用電池３の下方に配設され車両ボデー２に固定されたロアケース１１に固定したので、樹脂カバー９でシートクッション１０を更に安定的に支持できる。また、樹脂カバー９及びロアケース１１により車両用電池３が被覆されるので、シールド性を更に高めることができる。
【００３６】
また、本実施例では、車両ボデー２に、車両用電池３を被覆する立上げ壁２ａを形成したので、更なる軽量化を図ることができる。
【００３７】
さらに、本実施例では、シールド層８を、カーペット５の裏面側に露出して配設し、シールド層８の一部８ｂ、８ｃを車両ボデー３に接触させたので、シールド層８を容易に接地させることができる。
【００３８】
＜実施例２＞
次に、本実施例２に係る車両用電池の被覆構造の構成について説明する。なお、本実施例２の車両用電池の被覆構造では、上記実施例１に係る車両用電池の被覆構造１と略同じ構成部位には同符号を付けて詳説を省略する。
【００３９】
（１）車両用電池の被覆構造の構成
本実施例２に係る車両用電池の被覆構造２１は、図６〜図８に示すように、車両ボデー２に搭載された車両用電池の被覆構造であって、車両用電池３を被覆するカーペット５を備えている。このカーペット５の裏面側には、車両用電池３を被覆する縦断面略Ｕ字状の樹脂カバー２２が積層されている。なお、本実施例２では、実施例１のように、車両ボデー２には立ち上げ壁２ａが設けられていない。
【００４０】
（２）車両用電池の被覆構造の作用
次に、上記構成の車両用電池の被覆構造２１の作用について説明する。図８に示すように、樹脂カバー９及びシールド層８により、車両用電池３の上面及び車両前後方向の前後面が被覆され、上記ロアケース１１により、車両用電池３の下面及び車両幅方向の両側面が被覆されている。よって、カーペット５のシールド層８及びロアケース１１により車両用電池３は電磁波シールドされる。
【００４１】
（３）実施例の効果
以上より、本実施例の車両用電池の被覆構造２１によると、実施例１の車両用電池の被覆構造１と略同様の作用効果を奏することに加えて、車両ボデー２に立ち上げ壁２ａを設ける必要がないので、車両ボデー２の設計自由度を高めることができる。
【００４２】
＜実施例３＞
次に、本実施例３に係る車両用電池の被覆構造の構成について説明する。なお、本実施例２の車両用電池の被覆構造では、上記実施例１に係る車両用電池の被覆構造１と略同じ構成部位には同符号を付けて詳説を省略する。
【００４３】
（１）車両用電池の被覆構造の構成
本実施例３に係る車両用電池の被覆構造２４は、図９〜図１１に示すように、車両ボデー２に搭載された車両用電池の被覆構造であって、車両用電池３を被覆するカーペット５を備えている。このカーペット５の裏面側には、車両用電池３を被覆する略平板状の樹脂カバー２５が積層されている。
【００４４】
上記車両ボデー２に固定されたロアケース１１には、樹脂カバー２５が固定されるとともに、左右一対の金属製で略Ｌ字状のシートフレーム２６の一端側が固定されている。これら各シートフレーム２６の他端側は、車両ボデー２の立ち上げ壁２ａの頂上部に固定されている。
【００４５】
（４）実施例の効果
以上より、本実施例の車両用電池の被覆構造２１によると、実施例１の車両用電池の被覆構造１と略同様の作用効果を奏することに加えて、樹脂カバー９及びシートフレーム２６によりシートクッション１０が支持されるので、シートクッション１０を更に安定的に支持できる。
【００４６】
尚、本発明においては、上記実施例１〜３に限られず、目的、用途に応じて本発明の範囲内で種々変更した実施例とすることができる。すなわち、上記実施例１〜３では、バッキング層７の裏面側に露出するシールド層８を例示したが、これに限定されず、例えば、図１２に示すように、バッキング層７の裏面側に埋設されたシールド層８としてもよい。
【００４７】
また、上記実施例１〜３では、バッキング層７の裏面側にシールド層８を配設するようにした。参考例として、例えば、図１３に示すように、バッキング層７の表面側にシールド層８を配設したり、バッキング層７の表裏方向の中央側にシールド層８を配設したりしてもよい。
【００４８】
また、上記実施例１〜３では、金属メッシュからなるシールド層８を例示したが、これに限定されず、例えば、金属板、金属箔、金属フィルム又は金属コーティング層からなるシールド層８を採用してもよい。この場合、シールド層８に対して樹脂カバーを接着、締結等で固定することができる。発泡金属、又は導電性繊維を用いてなる布（例えば、不織布、織物、編物等）などからなるシールド層８を採用してもよい。
【００４９】
また、上記実施例１〜３では、カーペット５の裏面側に樹脂カバー９を直接的に積層するようにしたが、これに限定されず、例えば、カーペット５の裏面側に他の部材（例えば、防音材、吸音材、接着層等）を介して樹脂カバー９を間接的に積層するようにしてもよい。
【００５０】
また、上記実施例１〜３では、タフト布からなる表皮層６を例示したが、これに限定されず、例えば、不織布、織物、編物等からなる表皮層６を採用してもよい。また、上記実施例１〜３では、１層のみからなるバッキング層７を例示したが、これに限定されず、例えば、複数層からなるバッキング層７を採用してもよい。また、上記実施例１〜３では、樹脂製のバッキング層７を例示したが、エラストマー又はゴム等からなるバッキング層７を採用してもよい。
【００５１】
なお、上記バッキング層７をなす樹脂としては熱可塑性樹脂が好ましい。熱可塑性樹脂としては、ポリオレフィン系樹脂及びポリ塩化ビニル系樹脂等が挙げられる。これらは１種のみを用いてもよく２種以上を併用してもよい。これらのなかでもポリオレフィン系樹脂が好ましく、ポリエチレンがより好ましく、低密度ポリエチレンが特に好ましい。十分な強度及び柔軟性並びに加工性を有しつつ、優れた遮音性を発揮できる。また、上記バッキング層７をなすエラストマーとしては、オレフィン系熱可塑性エラストマー、スチレン系熱可塑性エラストマー、ウレタン系熱可塑性エラストマー、ポリエステル系熱可塑性エラストマー、ポリアミド系熱可塑性エラストマー等が挙げられる。これらは１種のみ用いてもよく２種以上を併用してもよい。更に、上記バッキング層７をなすゴムとしては、ブダジエンゴム、スチレン−ブタジエンゴム、アクリロニトリル−ブタジエンゴム、エチレン−プロピレンゴム、エチレン−プロピレン−ジエンゴム、天然ゴム、イソプレンゴム及びクロロプレンゴム等が挙げられる。これらは１種のみ用いてもよく２種以上を併用してもよい。
【００５２】
また、上記実施例１〜３では、表皮層６の裏面側にバッキング層７を直接的に積層するようにしたが、これに限定されず、例えば、表皮層６の裏面側に他の部材（例えば、防音材、吸音材、接着層等）を介してバッキング層７を間接的に積層するようにしてもよい。さらに、上記実施例１〜３では、バッキング層７の裏面側にシールド層８を直接的に積層するようにしたが、これに限定されず、例えば、バッキング層７の裏面側に他の部材（例えば、防音材、吸音材、接着層等）を介してシールド層８を間接的に積層するようにしてもよい。
【００５３】
また、上記実施例１〜３では、シートクッション１０の下方に搭載される車両用電池３の被覆構造１、２１、２４を例示したが、これに限定されず、例えば、トランクルーム等に搭載される車両用電池の被覆構造としてもよい。
【００５４】
また、上記実施例１〜３では、ロアケース１１で車両用電池３の車幅方向の側面を被覆する形態を例示したが、これに限定されず、ロアケース１１に替えて又は加えて、カーペット５のシールド層８で車両用電池３の車幅方向の側面を被覆するようにしてもよい。
【００５５】
また、上記実施例１〜３では、表皮層６、バッキング層７及びシールド層８を一体成形してなるカーペット５を例示したが、これに限定されず、例えば、各層を接着剤等で接合してなるカーペットを採用してもよい。
【００５６】
さらに、上記実施例１〜３では、成形型１２ａ，１２ｂ内に、表皮層６になる表皮材６ａと、バッキング層７になる加熱処理されたバッキング材７ａと、を別々にセットするようにしたが、これに限定されず、例えば、成型型１２ａ，１２ｂ内に、表皮層６の裏面側にバッキング層７を一体成形してなる一体物をセットするようにしてもよい。
【００５７】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５８】
本発明は上記で詳述した実施形態に限定されず、本発明の請求項に示した範囲で様々な変形または変更が可能である。
【産業上の利用可能性】
【００５９】
車両用電池を被覆する技術として広く利用される。特に、乗用車、バス、トラック等の他、列車、汽車等の鉄道車両、建設車両、農業車両、産業車両などで使用される車両用電池の被覆構造として好適に利用される。
【符号の説明】
【００６０】
１，２１，２４；車両用電池の被覆構造、２；車両ボデー、３；車両用電池、５；カーペット、６；表皮層、７；バッキング層、８；シールド層、９，２２，２５；樹脂カバー、１０；シートクッション。
【図１】
0005644561.tif 000002
【図２】
0005644561.tif 000003
【図３】
0005644561.tif 000004
【図４】
0005644561.tif 000005
【図５】
0005644561.tif 000006
【図６】
0005644561.tif 000007
【図７】
0005644561.tif 000008
【図８】
0005644561.tif 000009
【図９】
0005644561.tif 000010
【図１０】
0005644561.tif 000011
【図１１】
0005644561.tif 000012
【図１２】
0005644561.tif 000013
【図１３】
0005644561.tif 000014
【図１４】
0005644561.tif 000015